【事件の表示】
　平成　７年特許願第２７８３９７号「画像形成装置」拒絶査定に対する審判事件［平成　９年　４月　８日出願公開、特開平　９−　９６９３８］について、次のとおり審決する。
【結　論】
　本件審判の請求は、成り立たない。
【理　由】
１．手続の経緯・本願発明
　本願の請求項１ないし８に係る発明は、平成11年11月26日付けおよび平成12年2月18日付け手続補正書によって補正された明細書および図面の記載からみて、その特許請求の範囲の請求項１ないし８に記載されたとおりのものであり、特に請求項１、請求項５、請求項８に係る発明は次のとおりのものである。以下、それぞれ「本願発明１」、「本願発明５」、「本願発明８」という。
　
「【請求項１】　像担持体（２）及び電子写真方式の少なくとも一つのプロセス手段（３）が一つの筺体内に包含されたカートリッジ（１）を装置本体（４）のカートリッジ受部（５）に対して着脱するようにした画像形成装置において、
　装置本体（４）のカートリッジ受部（５）には、装置本体（４）側の駆動力伝達部材（１０）とカートリッジ（１）側の駆動力伝達部材（１１）とが完全係合するカートリッジ（１）の正規セット位置（Ｓ）と、装置本体（４）側の駆動力伝達部材（１０）とカートリッジ（１）側の駆動力伝達部材（１１）とが不完全係合し且つ前記正規セット位置（Ｓ）から離間してカートリッジ（１）が着脱可能に載置される仮セット位置（Ｋ）とを設け、
　カートリッジ（１）を正規セット位置（Ｓ）に装着すべき装着モード操作であるか否かが判別される装着モード判別手段（６）を設けると共に、
　この装着モード判別手段（６）からの装着モード操作であるという判別信号に基づいて、装置本体（４）側の駆動力伝達部材（１０）とカートリッジ（１）側の駆動力伝達部材（１１）との係合による駆動伝達力を用い、仮セット位置（Ｋ）に挿入載置されたカートリッジ（１）が仮セット位置（Ｋ）から正規セット位置（Ｓ）まで強制移動せしめられる強制移動装着手段（７）を設けたことを特徴とする画像形成装置。
【請求項５】　像担持体（２）及び電子写真方式の少なくとも一つのプロセス手段（３）が一つの筺体内に包含されたカートリッジ（１）を装置本体（４）のカートリッジ受部（５）に対して着脱するようにした画像形成装置において、
　装置本体（４）のカートリッジ受部（５）には、装置本体（４）側の駆動力伝達部材（１０）とカートリッジ（１）側の駆動力伝達部材（１１）とが完全係合するカートリッジ（１）の正規セット位置（Ｓ）と、装置本体（４）側の駆動力伝達部材（１０）とカートリッジ（１）側の駆動力伝達部材（１１）とが不完全係合し且つ前記正規セット位置（Ｓ）から離間してカートリッジ（１）が着脱可能に載置される仮セット位置（Ｋ）とを設け、
　カートリッジ（１）を正規セット位置（Ｓ）から離脱すべき離脱モード操作であるか否かが判別される離脱モード判別手段（１２）を設けると共に、
　この離脱モード判別手段（１２）からの離脱モード操作であるという判別信号に基づいて、装置本体（４）側の駆動力伝達部材（１０）とカートリッジ（１）側の駆動力伝達部材（１１）との係合による駆動伝達力を用い、正規セット位置（Ｓ）に装着されているカートリッジ（１）が正規セット位置（Ｓ）から仮セット位置（Ｋ）まで強制移動せしめられる強制移動離脱手段（１３）を設けたことを特徴とする画像形成装置。
【請求項８】　像担持体（２）及び電子写真方式の少なくとも一つのプロセス手段（３）が一つの筺体内に包含されたカートリッジ（１）を装置本体（４）のカートリッジ受部（５）に対して着脱するようにした画像形成装置において、
　装置本体（４）のカートリッジ受部（５）には、装置本体（４）側の駆動力伝達部材（１０）とカートリッジ（１）側の駆動力伝達部材（１１）とが完全係合するカートリッジ（１）の正規セット位置（Ｓ）と、装置本体（４）側の駆動力伝達部材（１０）とカートリッジ（１）側の駆動力伝達部材（１１）とが不完全係合し且つ前記正規セット位置（Ｓ）から離間してカートリッジ（１）が着脱可能に載置される仮セット位置（Ｋ）とを設け、
　カートリッジ（１）を正規セット位置（Ｓ）に装着すべき装着モード操作であるか否かが判別される装着モード判別手段（６）を設けると共に、
　この装着モード判別手段（６）からの装着モード操作であるという判別信号に基づいて、仮セット位置（Ｋ）に挿入載置されたカートリッジ（１）が仮セット位置（Ｋ）から正規セット位置（Ｓ）まで強制移動せしめられる強制移動装着手段（７）を設け、
　更に、カートリッジ（１）を正規セット位置（Ｓ）から離脱すべき離脱モード操作であるか否かが判別される離脱モード判別手段（１２）を設けると共に、
　この離脱モード判別手段（１２）からの離脱モード操作であるという判別信号に基づいて、正規セット位置（Ｓ）に装着されているカートリッジ（１）が正規セット位置（Ｓ）から仮セット位置（Ｋ）まで強制移動せしめられる強制移動離脱手段（１３）を設け、
　強制移動装着手段（７）及び強制移動離脱手段（１３）は、装置本体（４）側の駆動力伝達部材（１０）とカートリッジ（１）側の駆動力伝達部材（１１）との係合による駆動伝達力を正逆切換えて用い、カートリッジ（１）を装着方向あるいは離脱方向へ移動させることを特徴とする画像形成装置。」
　
２．刊行物記載の発明
　これに対して、原査定の拒絶の理由に引用された引用文献３（特開平5−119551号公報）および引用文献１（特開平4−84173号公報）には次のような技術事項が図面とともに記載されている。
［引用文献３（特開平5−119551号公報）］
ａ．而して、図５に示すように外装カバー１０５を軸１０４を中心に開放した状態で、プロセスカートリッジ１２０の両側面に突設された前記位置決め突起１２１を本体１０１側に設けたガイド溝１０２に嵌合せしめて、該プロセスカートリッジ１２０を図４に示す矢印ａ方向（カートリッジ取り付け方向）に移動させれば、プロセスカートリッジ１２０は本体１０１の所定装着位置１５０に取り付けられる。このとき、プロセスカートリッジ１２０のドラムギヤ１２３は本体１０１側の駆動ギヤ１０３に噛合する。
　前記状態において、本体１０１側の駆動モータ１０６を駆動すれば、前記駆動モータ１０６の回転力はモータギヤ１０７、減速ギヤ１１０及びアイドラギヤ１１１を経てギヤ１１２に伝達され、前記ギヤ１１２が図８の矢印ｄ方向に回転せしめられる。このようにギヤ１１２が回転すると、前記ギヤ１１２に構けられた前記リセス１１２ａが図８に示すように平行ピン１３０に係合する。そのため、ギヤ１１２の回転は平行ピン１３０を介して駆動軸１１３に伝達され、この駆動軸１１３の回転は駆動ギヤ１０３を介してプロセスカートリッジ１２０側のドラムギヤ１２３に伝達される。そこで、プロセスカートリッジ１２０内の感光ドラム１２２（図６参照）等が回転駆動されて所要の画像形成がなされる（尚、本実施例では、ギヤ１２３と噛合しているスリーブギヤ（図示せず）を介して現像スリーブＤ１を回転駆動する）。ここで本実施例では、ドラムギヤ１２３の歯面が受ける力Ｆの方向（図４の矢印ａ方向）は図４に示すようにドラムギヤ１２３と駆動ギヤ１０３の中心を結ぶ直線に引いた垂線Ｎからギヤ圧力角だけずれている。そして、この方向はプロセスカートリッジ１２０の取り付け方向（図４の矢印ａ方向）に向いている。そのため、駆動モータ１０６を駆動する画像形成時にはプロセスカートリッジ１２０はこれの取り付け方向に押されてその取付位置が安定する。尚、図４に示すように駆動ギヤ１０３の位置がプロセスカートリッジ１２０の取り付け方向に対してなす角度をβとすれば、この角度βはα＜β＜９０°の関係を満足する。（段落【0023】〜【0024】参照）
ｂ．他方、プロセスカートリッジ１２０を本体１０１から取り出す場合には、図５及び図６に示すように外装カバー１０５を開けて該プロセスカートリッジ１２０を図４の矢印ｂ方向（カートリッジ１２０取り出し方向）に引けば良い。しかしながら、図８に示すように、ギヤ１１２のリセス１１２ａが平行ピン１３０に当接した状態のままプロセスカートリッジ１２０を抜き取ろうとすると、駆動ギヤ１０３の逆回転が平行ピン１３０のリセス１１２ａとの係合によって阻止される。そのため、このままの状態ではプロセスカートリッジ１２０を取り出すことが難しい。
　そこで、本実施例では、通常の画像形成動作が終了する毎に駆動モータ１０６が所定量だけ逆回転せしめられた後に停止する制御がなされる。このように駆動モータ１０６が所定量だけ逆回転せしめられると、平行ピン１３０及び駆動軸１１３は静止したままの状態で、図９に示すようにギヤ１１２のみが矢印方向に角度θだけ逆回転せしめられる。従って、図９に示す状態ではプロセスカートリッジ１２０を取り出す際に、駆動ギヤ１０３は駆動軸１１３及び平行ピン１３０と一体に角度θだけ逆回転することとなり、プロセスカートリッジ１２０を装置本体１０１から容易に取り出すことができる。（段落【0025】〜【0026】参照）
ｃ．前記画像形成部は、感光体ドラム１２２、クリーナ部Ｃ、一時帯電器Ｔ及び現像部Ｄを一体とする前述した通りのプロセスカートリッジ１２０を構成している。（段落【0043】参照）
ｄ．尚、前述プロセスカートリッジとは、像担持体としての例えば電子写真感光体等と、プロセス手段としての例えば帯電手段、現像手段、クリーニング手段等の少なくとも一つと、を一体的にカートリッジ化して画像形成装置本体に着脱可能とするものである。（段落【0047】参照）
　
　以上の技術事項を対比のためにまとめると、引用文献３には次のような発明が記載されている。
「感光ドラム及び電子写真方式の帯電手段、現像手段、クリーニング手段等の少なくとも一つが一つの筺体内に包含されたプロセスカートリッジを装置本体のガイド溝に対して着脱するようにした画像形成装置において、
　装置本体のガイド溝102に嵌合されたプロセスカートリッジは、所定装着位置まで移動され、その位置でプロセスカートリッジのドラムギア123が本体側の駆動ギア103に噛み合い、駆動モータを駆動する画像形成時にはプロセスカートリッジはこれの取付方向に押されてその取付位置が安定するように構成されている。
　画像形成動作が終了毎に予め本体側の駆動ギア103を所定範囲内で逆回転可能にしておくことによって、プロセスカートリッジを本体から取り外す場合は、駆動ギア103を逆転させながらプロセスカートリッジのドラムギア123と駆動ギアの噛み合いを解除する。」
　
［引用文献１（特開平4−84173号公報）］
ａ．前記のジャム信号（Ｓ″）、プロセス資材の交換、補給の検知信号（Ｓ，Ｓ′）が装置本体の制御部に入力されると、前記のランプＬ1、ランプＬ2がそれぞれ点灯して表示される。また、その何れか一方の検知信号の入力により点灯と同時に電源部に対し前記モータＭ2に正回転の電力を供給する信号が出力される。その結果前記上蓋20は反時計方向に回転して開蓋し第２図に示す如く装置本体上部の開口部を開放する。前記上蓋20が開蓋位置に達し扇形歯車21がスイッチＭＳ2を押圧してＯＦＦからＯＮに切替えるとモータＭ2の回転が停止し同時に前記モータＭ1の正回転が開始される。モータＭ1の正転により前記架台50は第１図に示す状態から第２図に示す状態にスライドし、載置する前記プロセスカートリッジ30を画像形成を可能とする第１位置から装脱着を可能とする第２位置に向け移動する。架台50のスライドが設けられその上面の遮光板52がフォトセンサＳ5をＯＮからＯＦＦに切替えた位置でモータＭ1の回転が停止される。さらに続いて前記上蓋20の回転基部に設置したソレノイドＳＯＬがＯＦＦからＯＮに切替ってプランジャを突出し、前記扇形歯車21と一体のロック板22の切欠に係合して上蓋20を所定の開蓋角度に保持する。その結果装置本体はジャム処理を容易に行える状態となりさらに架台50からプロセスカートリッジ30を取外すことによって前述したプロセス資材の交換、補給等の作業を行うことも可能となる。（第5頁左下欄第19行〜第6頁左上欄第9行参照）
ｂ．ジャム処理あるいはプロセス資材の交換、補給後に再びプロセスカートリッジ30を架台50に載置することによってスイッチＭＳ3がＯＦＦからＯＮに切替えられると、前記ランプＬ1あるいはランプＬ2が消灯し、続いて前記モータＭ1の逆回転が開始される。モータＭ1の逆転により前記架台50は第２図に示す状態から第１図に示す状態にスライドし、載置するプロセスカートリッジ30を前記の第２位置から第１位置に向け移動させる。架台50のスライドが続けられその上面の遮光板52がフォトセンサＳ4をＯＮからＯＦＦに切替えた位置でモータＭ1の回転が停止される。（第6頁左上欄第10行〜右上欄第2行参照）
　
３．対比・判断
［本願発明１］
　本願発明１を引用文献３記載の発明と対比すると、
ア）引用文献３記載の発明の「感光ドラム」、「帯電手段、現像手段、クリーニング手段等」、「プロセスカートリッジ」、「ガイド溝」、「プロセスカートリッジのドラムギア123」、「本体側の駆動ギア103」は、それぞれ「像担持体」、「プロセス手段」、「カートリッジ」、「カートリッジ受部」、「カートリッジ側の駆動力伝達部材」、「装置本体側の駆動力伝達部材」に相当し、
イ）引用文献３記載の発明において、プロセスカートリッジがガイド溝に嵌合されて移動され、ドラムギア123が駆動ギア103に噛み合う所定装着位置は、その後の駆動モータを駆動する画像形成時にカートリッジが取付方向に押されてその取付位置が安定するとあることから、この位置でのドラムギア123と駆動ギア103との噛み合いは不完全な係合であり、表現は異なるも実質的に本願発明１の「装置本体側の駆動力伝達部材とカートリッジ側の駆動力伝達部材とが不完全係合し且つ前記正規セット位置（Ｓ）から離間してカートリッジが着脱可能に載置される仮セット位置（Ｋ）」に相当し、画像形成時の安定した取付位置も、この時点でドラムギア123と駆動ギア103との噛み合いは完全係合であるから、表現は異なるも実質的に本願発明１の「装置本体側の駆動力伝達部材とカートリッジ側の駆動力伝達部材とが完全係合するカートリッジの正規セット位置（Ｓ）」に相当し、
ウ）引用文献３記載の発明において、装置本体側の駆動力伝達部材とカートリッジ側の駆動力伝達部材との係合による駆動伝達力を用いて仮セット位置から正規セット位置への移動が行われることから、強制移動装着手段を有しているということができ、
　以上のことから両者間には次のような一致点、相違点がある。
（一致点）
　像担持体及び電子写真方式の少なくとも一つのプロセス手段が一つの筺体内に包含されたカートリッジを装置本体のカートリッジ受部に対して着脱するようにした画像形成装置において、
　装置本体のカートリッジ受部には、装置本体側の駆動力伝達部材とカートリッジ側の駆動力伝達部材とが完全係合するカートリッジの正規セット位置（Ｓ）と、装置本体側の駆動力伝達部材とカートリッジ側の駆動力伝達部材とが不完全係合し且つ前記正規セット位置（Ｓ）から離間してカートリッジが着脱可能に載置される仮セット位置（Ｋ）とを設け、
　装置本体側の駆動力伝達部材とカートリッジ側の駆動力伝達部材との係合による駆動伝達力を用い、仮セット位置（Ｋ）に挿入載置されたカートリッジが仮セット位置（Ｋ）から正規セット位置（Ｓ）まで強制移動せしめられる強制移動装着手段を設けた画像形成装置。
（相違点）
　本願発明１がカートリッジを正規セット位置（Ｓ）に装着すべき装着モード操作であるか否かが判別される装着モード判別手段を有すると共に、この装着モード判別手段からの装着モード操作であるという判別信号に基づいてカートリッジを強制移動せしめるものであるのに対して、引用文献３記載の発明は特に判別手段を有しておらず、画像形成時に装置本体側の駆動力伝達部材とカートリッジ側の駆動力伝達部材との係合による駆動伝達力によって強制移動せしめる点
（相違点の検討）
　引用文献１の摘記事項ｂ．によると、スイッチＭＳ3はプロセスカートリッジ30をセット位置に装着すべきことを判別する手段に対応するものであり、スイッチＭＳ3が装着すべきと判別したときは、モータＭ1を逆回転させて架台50に載置されたプロセスカートリッジをセット位置に移動させるものであるから、引用文献１には本願発明１の「カートリッジを正規セット位置に装着すべき装着モード操作であるか否かが判別される装着モード判別手段を設けると共に、この装着モード判別手段からの装着モード操作であるという判別信号に基づいて、カートリッジをセット位置まで強制移動せしめられる強制移動装着手段」に対応する構成が記載されている。
　このようにカートリッジの装着時に、カートリッジの装着モードを判別して強制移動装着手段によってセット位置に装着することは公知技術であるから、引用文献３記載の発明においても、カートリッジの装着モードを判別して強制移動装着手段によってセット位置に装着するようにすることは、当業者が容易に考えつくことができた構成の変更である。
　そして、引用文献３記載の発明のように画像形成時に自動的に実行できることを、本願発明１のように画像形成に先立ってカートリッジを正規セット位置に強制移動させたことによって、格別の作用効果を奏するわけでもない。
（まとめ）
　以上のことから、本願発明１は引用文献３及び引用文献１記載の発明に基づいて当業者が容易に発明をすることができたものである。
　
［本願発明５］
　本願発明５を引用文献３記載の発明と対比すると、両者間には次のような一致点、相違点がある。
（一致点）
　像担持体及び電子写真方式の少なくとも一つのプロセス手段が一つの筺体内に包含されたカートリッジを装置本体のカートリッジ受部に対して着脱するようにした画像形成装置において、装置本体のカートリッジ受部には、装置本体側の駆動力伝達部材とカートリッジ側の駆動力伝達部材とが完全係合するカートリッジの正規セット位置と、装置本体側の駆動力伝達部材とカートリッジ側の駆動力伝達部材とが不完全係合し且つ前記正規セット位置（Ｓ）から離間してカートリッジが着脱可能に載置される仮セット位置（Ｋ）とを設けた画像形成装置。
（相違点）
　本願発明５が、カートリッジを正規セット位置（Ｓ）から離脱すべき離脱モード操作であるか否かが判別される離脱モード判別手段を設けると共に、この離脱モード判別手段からの離脱モード操作であるという判別信号に基づいて、装置本体側の駆動力伝達部材とカートリッジ側の駆動力伝達部材との係合による駆動伝達力を用い、正規セット位置（Ｓ）に装着されているカートリッジが正規セット位置（Ｓ）から仮セット位置（Ｋ）まで強制移動せしめられる強制移動離脱手段を設けているのに対して、引用文献３記載の発明は、離脱モード判別手段の判別信号に基づいて、カートリッジを正規セット位置（Ｓ）から仮セット位置（Ｋ）まで強制移動する強制移動離脱手段を設けておらず、ただ装置本体側の駆動力伝達部材を逆回転可能にしてカートリッジを取外し可能としている点
（相違点の検討）
　引用文献１の摘記事項ａ．によると、ジャム信号等はプロセスカートリッジ30をセット位置から離脱すべきことを判別する手段に対応するものであり、ジャム信号等により離脱すべきと判別されたときは、モータをＭ1を正転させて、架台50に載置されたプロセスカートリッジをセット位置から離脱させるものであるから、引用文献１には本願発明１の「カートリッジを正規セット位置（Ｓ）から離脱すべき離脱モード操作であるか否かが判別される離脱モード判別手段を設けると共に、この離脱モード判別手段からの離脱モード操作であるという判別信号に基づいて、装置本体側の駆動力伝達部材とカートリッジ側の駆動力伝達部材との係合による駆動伝達力を用い、正規セット位置（Ｓ）に装着されているカートリッジが正規セット位置（Ｓ）から仮セット位置（Ｋ）まで強制移動せしめられる強制移動離脱手段」に対応する構成が記載されている。
　このように、カートリッジの離脱モードを判別して強制的にセット位置から離脱させることが公知技術であることから、引用文献３記載の発明においてカートリッジの離脱においても離脱モードを判別して強制的にセット位置から離脱させるように構成することは、当業者が容易に考えつくことができた構成の変更である。
（まとめ）
　以上のことから本願発明５は引用文献３及び引用文献１記載の発明に基づいて当業者が容易に発明をすることができたものである。
　
［本願発明８］
　引用文献１にはカートリッジを装着するモードか離脱するモードかを判別する手段を設けて、判別信号に基づき強制移動手段によってカートリッジを画像形成位置と離脱着可能位置間を移動させる点が記載されており、引用文献３記載の発明においても、カートリッジを装着するモードか離脱するモードかを判別して、仮セット位置から正規セット位置に、または正規セット位置から仮セット位置に強制移動せしめるように構成するすることは、当業者が容易に考えつくことができた構成の変更である。
　したがって、本願発明８は引用文献３及び引用文献１記載の発明に基づいて当業者が容易に発明をすることができたものである。
　
４．むすび
　以上のことから、本願発明１、本願発明５、本願発明８は特許法第２９条第２項の規定により特許を受けることができない。
　そして、本願はその他の請求項に係る発明について判断するまでもなく、拒絶すべきものである。
　よって、結論のとおり審決する。